(57)【要約】 【課題】  飲食雰囲気を好適とする表示装置を提供する。【解決手段】  表示パネル２２０の表示面を透光性の保護部材にて覆い、テーブル脚を取り付けて表示面が上方に臨むテーブル型の表示装置１００を形成する。表示装置１００の保護部材の上面に、所定の飲食物を盛り付ける食器を載置すると、食器に設けたＩＣタグ２９０のタグ情報を検出手段２７０にて読み取る。食器種別認識手段２８１により、タグ情報から同一のタグ情報を有するメニューデータをメニューデータ記憶手段２６０から検索する。表示制御手段２８３が、メニューデータのメニューの分類および色彩を認識し、同一の分類および色調の画像データを、画像データ記憶手段２５０から検索し、表示パネル２２０で表示させる。飲食物の内容に応じた内容の画面表示、飲食物の色彩が映える画像表示により、良好な食事環境を得ることができる。【選択図】 図２
2005261843.tif 000002
【特許請求の範囲】
【請求項１】
異なる色調で発光可能な光源を有する表示装置であって、
飲食物の内容を認識する飲食物認識手段と、
この飲食物認識手段にて認識した飲食物の内容に応じて前記光源で発光させる色調を制御する色調制御手段と、
を具備したことを特徴とした表示装置。
【請求項２】
請求項１に記載の表示装置であって、
前記色調制御手段は、前記飲食物認識手段にて認識した飲食物の内容に応じて前記光源における明度、彩度および色相のうちの少なくともいずれか１つを制御することで色調を制御する
ことを特徴とした表示装置。
【請求項３】
請求項１または請求項２に記載の表示装置であって、
前記飲食物認識手段は、前記飲食物を収容する食器の種別を認識することによって前記飲食物の内容を認識する
ことを特徴とした表示装置。
【請求項４】
請求項１ないし請求項３のいずれかに記載の表示装置であって、
前記光源は、画像データを画面表示する表示手段である
ことを特徴とした表示装置。
【請求項５】
請求項１ないし請求項４のいずれかに記載の表示装置であって、
前記色調制御手段は、前記飲食物認識手段にて認識した飲食部の内容に応じた画像データを前記光源で画面表示させる制御をする
ことを特徴とした表示装置。
【請求項６】
請求項１ないし請求項５のいずれかに記載の表示装置と、
この表示装置がネットワークを介して各種情報を送受信可能に接続され、前記飲食物認識手段が前記飲食部の内容を認識するために利用される前記飲食物の内容に関するメニューデータを記憶する記憶手段を備えたサーバ装置と、
を具備したことを特徴とした表示システム。
【請求項７】
演算手段により、異なる色調で発光可能な光源の発光状態を制御する表示方法であって、
飲食物の内容を検出し、
この検出した飲食物の内容に応じて前記光源で発光させる色調を制御する
ことを特徴とする表示方法。
【請求項８】
演算手段を、請求項１ないし請求項５のいずれかに記載の表示装置または請求項６に記載の表示システムとして機能させる
ことを特徴とした表示プログラム。
【請求項９】
請求項７に記載の表示方法を演算手段に実行させる
ことを特徴とした表示プログラム。
【請求項１０】
請求項８または請求項９に記載の表示プログラムが演算手段で読取可能に記録された
ことを特徴とした表示プログラムを記録した記録媒体。
【発明の詳細な説明】
【技術分野】
【０００１】
本発明は、飲食物の内容に応じて光源を発光させる表示装置、そのシステム、その方法、そのプログラム、および、そのプログラムを記録した記録媒体に関する。
【背景技術】
【０００２】
従来、例えば飲食店などで利用されるテーブルに表示装置を備えた構成が知られている。このテーブルは、表示装置の表示面がテーブルの上面に臨む状態に表示装置が設けられ、料理のメニューなどが表示され、顧客がメニュー内容を認識できる構成が採られている（例えば、特許文献１参照）。
【０００３】
特許文献１に記載のものは、平板状表示面を有した表示パネルをテーブル板にて支持し、テーブル脚にて表示面が上方側に向けて水平に支持されテーブルとして使用され、周囲側に設置される椅子に腰掛けた鑑賞者に対して映像を表示する構成となっている。さらに、上面部には感圧入力シートが設けられている。そして、例えば料理のメニューを表示させ、感圧入力シートの各押圧操作部を押圧操作することにより、料理が注文される構成が採られている。
【０００４】
【特許文献１】特開平９−６２９８号公報（第２頁右欄−第６頁左欄、図４）
【発明の開示】
【発明が解決しようとする課題】
【０００５】
ところで、上述した特許文献１に記載のような表示装置を備えたテーブルを飲食店で利用する場合において、各種メニューを表示させたり、テレビ放送を表示させたりする場合、単にメニューが表示されるだけでは表示装置を設ける必要がなく、設備費用が多大となってしまう。一方、テレビ放送や映画などを表示させる場合では飲食中に不要に表示が切り替わり、落ち着いて飲食できない。さらには、飲食物にそぐわない内容が表示されることで飲食意欲が低下してしまうおそれがあるなどの問題が一例として挙げられる。
【０００６】
本発明は、上述したような実情などに鑑みて、好適な飲食雰囲気が得られる表示装置、そのシステム、その方法、そのプログラム、および、そのプログラムを記録した記録媒体を提供することを目的とする。
【課題を解決するための手段】
【０００７】
請求項１に記載の発明は、異なる色調で発光可能な光源を有する表示装置であって、飲食物の内容を認識する飲食物認識手段と、この飲食物認識手段にて認識した飲食物の内容に応じて前記光源で発光させる色調を制御する色調制御手段と、を具備したことを特徴とした点灯制御装置である。
【０００８】
請求項６に記載の発明は、請求項１ないし請求項５のいずれかに記載の表示装置と、この表示装置がネットワークを介して各種情報を送受信可能に接続され、前記飲食物認識手段が前記飲食部の内容を認識するために利用される前記飲食物の内容に関するメニューデータを記憶する記憶手段を備えたサーバ装置と、を具備したことを特徴とした表示システムである。
【０００９】
請求項７に記載の発明は、演算手段により、異なる色調で発光可能な光源の発光状態を制御する表示方法であって、飲食物の内容を検出し、
この検出した飲食部の内容に応じて前記光源で発光させる色調を制御することを特徴とする表示方法である。
【００１０】
請求項８に記載の発明は、演算手段を、請求項１ないし請求項５のいずれかに記載の表示装置または請求項６に記載の表示システムとして機能させることを特徴とした表示プログラムである。
【００１１】
請求項９に記載の発明は、請求項７に記載の表示方法を演算手段に実行させることを特徴とした表示プログラムである。
【００１２】
請求項１０に記載の発明は、請求項８または請求項９に記載の表示プログラムが演算手段で読取可能に記録されたことを特徴とした表示プログラムを記録した記録媒体である。
【発明を実施するための最良の形態】
【００１３】
以下、本発明に係る一実施の形態における構成を図面に基づいて説明する。本実施の形態では、飲食店に利用されるテーブル構造で画像データを画面表示する表示装置として説明するが、テーブル構造に限らず、例えば壁掛け構造などのいずれの形態でもできる。さらには、画像データを画面表示する表示装置に限らず、例えばランプなどを備えた照明装置としても適用できる。図１は、本実施の形態における表示装置の概略構成を示す斜視図である。
【００１４】
〔表示装置の構成〕
図１において、１００は表示装置で、この表示装置１００は、画像データを画面表示するテーブル構造に構成され、例えば飲食店に設置される。そして、表示装置１００は、表示装置本体２００と、保護部材３００と、テーブル脚４００と、を備えている。
【００１５】
表示装置本体２００は、ケース体２１０を有している。このケース体２１０は、例えばＡＢＳ（Acrylonitrile-butadiene-styrene）などの合成樹脂にて略薄型箱状に形成されている。そして、ケース体２１０の上面には、表示窓２１１が開口形成されている。このケース体２１０内には、画像データを静止画像または動画像などとして画面表示する表示面が表示窓２１１に臨んで表示手段としての光源である表示パネル２２０が配設されている。表示パネル２２０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００１６】
保護部材３００は、例えば透光性を有した硬質ガラスや硬質合成樹脂などにて略薄板状に形成された透明部材である。そして、この保護部材３００は、表示装置本体２００のケース体２１０の上面を覆う状態に積層されて一体的に設けられている。この保護部材３００は、例えばねじ止めにより表示装置本体２００に着脱可能に取り付けられる構成とすることが好ましい。
【００１７】
テーブル脚４００は、例えば金属パイプなどにて形成され、表示装置本体２００の裏面に一体的に取り付けられている。このテーブル脚４００は、表示装置本体２００の表示パネル２２０の表示面が水平面に略平行に表示装置本体２００を支持する状態に一体的に取り付けられる。なお、このテーブル脚４００についても、例えばねじ止めや端部の係合などにより表示装置本体２００に着脱可能な構成とすることが好ましい。また、表示面の高さ位置を変更可能に支持する高さ調整機構を備えた構成とすることが好ましい。
【００１８】
次に、表示装置本体２００の内部構成について図２を用いて詳細に説明する。図２は、表示装置の内部構成を示すブロック図である。
【００１９】
表示装置本体２００は、ケース体２１０内に配設された、表示パネル２２０と、発音手段２３０と、画像データ取得手段２４０と、画像データ記憶手段２５０と、メニューデータ記憶手段２６０と、検出手段２７０と、演算手段としての点灯制御装置である表示制御装置２８０と、を備えている。そして、表示パネル２２０は、異なる色調で発光可能、すなわち上述したように、画像データを画面表示するもので、表示制御装置２８０に接続されている。そして、表示パネル２２０は、表示制御装置２８０から出力される画像データを画面表示するとともに、表示状態が制御すなわち画面表示される画像データの色調が変更制御される。具体的には、輝度、彩度および色相が調整制御される。
【００２０】
発音手段２３０は、例えば図示しないスピーカおよび増幅器を備えている。そして、発音手段２３０は、表示制御装置２８０に接続され、表示制御装置２８０から出力されるアナログの音データを取得し、音としてスピーカから発音させる。
【００２１】
画像データ取得手段２４０は、例えば図示しないＴＶ受像器などを備え、画像データとしてのＴＶ受像データを取得する。また、画像データ取得手段２４０は、図示しない入力端子を有し、外部から出力される画像データを入力端子を介して取得する。この外部からの画像データの取得は、例えばケーブルを介して有線にて取得する他、赤外線などの無線媒体を介して取得するなど、いずれの方法が利用できる。また、インターネットなどを利用して配信される画像データを取得してもよい。そして、画像データ取得手段２４０は、表示制御装置２８０に接続され、取得した画像データを表示制御装置２８０へ出力する。
【００２２】
画像データ記憶手段２５０は、表示制御装置２８０に接続され、表示制御装置２８０により画像データを読み出し可能に記憶する。画像データとしては、静止画像や映像などの各種画像データが対象となる。そして、この画像データには、画像データを特定するファイル名や画像ＩＤ番号などの特定情報が関連付けられている。また、画像データ記憶手段２５０には、特定情報と、画像内容に対応し分類する分類データと、色調に関する色彩データとが関連付けられて１つのデータ構造に構築された画像検索データが、各画像データに特定情報にて対応して複数記憶されたテーブル構造を有している。また、画像データ記憶手段２５０としては、例えばＨＤ（Hard Disk）やＣＤ（Compact Disc）あるいはＤＶＤ（Digital Versatile Disc）、ＦＤ（Flexible Disk）、光磁気ディスク、メモリカードなどの記録媒体に読み出し可能に記憶するドライブやドライバなどの他、メモリなどが例示できる。
【００２３】
メニューデータ記憶手段２６０は、表示制御装置２８０に接続され、表示制御装置２８０によりメニューデータを読み出し可能に記憶する。メニューデータとしては、メニューを特定するメニューＩＤ番号と、メニュー内容に対応して分類する分類データと、メニューの飲食物の色彩に関する色彩データと、飲食物を収容すなわち盛り付けられる皿やコップなどの食器の種別に関するタグ情報と、などの項目が１つのレコードとして関連付けられたデータ構造に構成されている。そして、メニューデータ記憶手段２６０は、メニューデータを複数記録するテーブル構造に構成されている。なお、このメニューデータ記憶手段２６０は、画像データ記憶手段２５０と同様に、各種構成が利用できる。
【００２４】
検出手段２７０は、例えば図示しない食器の底部に一体的に設けられ各種情報を読み出し可能に記憶するＩＣ（Integrated Circuit）タグに記憶されたタグ情報を読み取る読取装置を備えている。そして、検出手段２７０は、表示制御装置２８０に接続され、読み取ったタグ情報を表示制御装置２８０へ出力する。
【００２５】
表示制御装置２８０は、食器種別認識手段２８１と、発音制御手段２８２と、色調制御手段としての表示制御手段２８３と、を備えている。なお、これら構成は、各種プログラム構成としてもよい。
【００２６】
食器種別認識手段２８１は、検出手段２７０から出力されるタグ情報を取得する。そして、食器種別認識手段２８１は、取得したタグ情報に基づいて、同一のタグ情報を有するメニューデータをメニューデータ記憶手段２６０から検索する。この後、食器種別認識手段２８１は、検索して取得したメニューデータを表示制御手段２８３へ出力する。そして、この食器種別認識手段２８１と、検出手段２７０と、食器に設けられたＩＣタグ２９０とにより、本発明の飲食物認識手段２８５が構成される。
【００２７】
発音制御手段２８２は、画像データ取得手段２４０や画像データ記憶手段２５０に記憶された画像データに関連付けられた音データを取得し、デコード処理やデジタル−アナログ変換処理などの各種処理を実施する。そして、処理した音データを発音手段２３０へ出力し、音データを音として発音させて再生させる処理をする。
【００２８】
表示制御手段２８３は、飲食物の内容に応じて表示パネル２２０で発光させる色調を制御すなわち飲食物の内容に応じた画像データを表示パネル２２０で表示させる。この表示制御手段２８３は、食器種別認識手段２８１から出力されるメニューデータを取得する。そして、表示制御手段２８３は、メニューデータの分類データおよび色彩データに基づいて、同一の分類データおよび色彩データを有する画像データを画像データ記憶手段２５０から検索する。そして、表示制御手段２８３は、検索された画像データを画像データ記憶手段２５０から適宜読み出すとともにデコード処理などの各種処理をし、表示パネル２２０へ出力して表示させる処理をする。例えば、ピザなどのイタリアン料理であれば、そのメニューの分類データに基づいて、イタリアの各地域の映像や静止画像に関する画像データを検索し、ピザは赤みを帯びているので、メニューの色彩データに基づいて、夕焼けの映像や静止画像などの同系色である赤みの帯びた画像データを検索する。すなわち、イタリアの各地域の夕焼けや赤みを帯びた画像データを検出する。また、冷菜などの冷たい飲食物であれば、メニューの分類データに基づいて海に関する映像や静止画像あるいは雪景色の映像や静止画像に関する画像データを検索し、色彩データに基づいて、氷の上に冷菜が盛り付けられたような場合であれは、雪景色や流氷などの白色系の映像や静止画像を検索する。なお、例えばエビチリなどの赤みを帯びた飲食物であれば、夕焼けの映像や静止画像などの同系色である赤みの帯びた画像データを検索し、分類データを加味しないで検索してもよい。
【００２９】
また、表示制御手段２８３は、画像データ取得手段２４０や画像データ記憶手段２５０に記憶され適宜読み出した画像データを、メニューデータの分類データや色彩データに基づいて、表示パネル２２０で飲食物と同系色に画面表示される状態に、輝度や彩度や色相を制御して画像データの色調を調整する処理する。そして、色調が調整された画像データを表示パネル２２０へ画像として出力して飲食物と同系色で表示させる処理をする。なお、表示制御手段２８３は、画像データの色調に関するデータ構造を制御して画像データの色調を調整する制御の他、表示パネル２２０を制御して画像データが飲食物と同系色となる状態に表示されるように制御するなどしてもよい。具体的には、画像データ取得手段２４０で既に画像データが表示されている場合、その画像データが飲食物と同系色となる状態に、画面表示されている画像データの色調を変更する処理をする。例えば、エビチリなどの赤みを帯びている場合には、画面表示されている画像データを若干赤みが帯びる状態に調整する。なお、画像内容が損なわれず、見にくくならない状態に変調することが望ましい。
【００３０】
〔表示装置の動作〕
次に、上述した表示装置１００の表示状態を調整する動作について説明する。
【００３１】
まず、あらかじめＩＣタグ２９０が設けられた食器に盛り付ける飲食物を設定しておき、メニューデータ記憶手段２６０を構築しておく。そして、顧客の注文に応じて調理された飲食物をあらかじめ設定された食器に盛り付ける。この飲食物が盛り付けられた食器を周囲に顧客が着席している表示装置１００の保護部材上に載置する。この食器の載置により、表示装置１００の検出手段２７０がタグ情報を読取可能となり、タグ情報を読み取る。そして、検出手段２７０は、読み取ったタグ情報を表示制御装置２８０へ出力する。
【００３２】
この検出手段２７０からのタグ情報の出力により、表示制御装置２８０の食器種別認識手段２８１がタグ情報に基づいて、同一のタグ情報を有するメニューデータをメニューデータ記憶手段２６０から検索する。そして、食器種別認識手段２８１は、検出したメニューデータを表示制御手段２８３へ出力する。
【００３３】
この食器種別認識手段２８１からメニューデータが出力されることにより、表示制御手段２８３はメニューデータの分類データおよび色彩データに基づいて、同一の分類データおよび色彩データを有する画像データを画像データ記憶手段２５０から検索する。そして、表示制御手段２８３は、既に画像データを表示パネル２２０へ出力している場合にはその処理を停止し、検出した画像データを適宜処理して表示パネル２２０へ出力して画面表示させる。このことにより、飲食物が表示装置１００上に運ばれることにより、飲食物に対応した画像データが表示される。
【００３４】
例えば、上述したように、食器に盛り付けられたイタリアン料理やフランス料理、エスニック料理、中華料理、日本料理などに対応して、そのメニューに対応するメニューデータの分類データに基づいて、その料理の国の各地域やその国に関する行事などの映像や静止画像などで、さらに冷菜などのメニューの内容に応じた分類に基づいて海や雪景色あるいはその料理が食される時期に関する映像や静止画像、メニューに利用される主な食材である山菜の場合には山間部の映像や静止画像、魚介類であれば海中の映像や静止画像などである。さらには、飲食物の色彩がエビチリやピザなどの赤みを帯びている場合には、さらに赤みを帯びている中国の赤い寺院やイタリアの夕焼けなどの赤みを帯びている映像や静止画像などの画像データが表示される。このように、飲食物に対応した内容や色彩に対応した色調や内容の画像データが画面表示されることにより、飲食時の雰囲気が飲食物に対応し、また飲食物の色彩が映え、良好な食事環境が得られる。したがって、顧客の食欲が増進され、集客性が向上したり、飲食物の拡販が容易に得られる。
【００３５】
〔表示装置の作用効果〕
上述したように、上記実施の形態では、飲食物認識手段２８５にて認識した飲食物の内容に応じて、表示制御手段２８３により表示パネル２２０で画面表示させる画像データの色調が変化する状態に制御している。このため、飲食物の内容に対応した色調で画像データが画面表示され、例えば飲食物の種類などの内容に応じた画面表示や飲食物の色彩が映える画面表示となり、好適な飲食雰囲気が得られ、良好な食事環境が得られる。したがって、顧客の食欲が増進され、集客性が向上したり、飲食物の拡販が容易に得られる。
【００３６】
そして、飲食物の内容に応じた画像データの色調の変化として、飲食物の色彩を認識し、この飲食物の色彩に対応した画像データを検出して画面表示させる。このため、飲食物の色彩が映える適切な画面表示が容易にできる。さらに、飲食物の色彩と同系色の画面表示により、飲食物と画像との間に、すなわち本実施形態においては飲食物とテーブルとの間に、視覚的な違和感が無くなり、良好な食事環境が得られる。
【００３７】
また、飲食物の色彩のみに限らず、飲食物の内容に応じた内容の画像データを検出して画面表示させている。このため、より飲食物に対応した良好な画面表示が容易に得られ、より良好な食事環境が得られる。
【００３８】
さらに、飲食物の色彩に関する色彩データおよび飲食物の内容に対応した分類データを関連付けたデータ構造の飲食物に関するメニューデータを構築している。このため、飲食物の内容に応じた画像データが、画像データに分類や色調に関する画像検索データにより容易に検索可能となり、簡単なデータ構造で好適な飲食雰囲気が得られる構成が容易に得られる。さらに、画像データを特定する特定データに、画像内容に対応し分類する分類データと色調に関する色彩データとを関連付けた画像検索データを構築している。このため、より簡単なデータ構造で飲食物の内容に対応した画像データを検索でき、好適な飲食雰囲気が容易に得られる構成が容易に得られる。
【００３９】
そして、飲食物を収容する食器の種別を認識する食器種別認識手段２８１を備えた飲食物認識手段２８５を利用している。このため、飲食物の内容を食器の種別により容易に判断でき、飲食物の内容に応じた照明、すなわち画面表示が容易に得られる。また、食器の種別の認識として、食器に設けたＩＣタグ２９０のタグ情報を検出手段２７０にて読み取る構成としている。このため、より容易に飲食物の内容を判断でき、簡単な構成で好適な飲食雰囲気が得られる構成が容易に得られる。また、ＩＣタグ２９０を利用するため、このＩＣタグ２９０を貼り付けなるなど、容易に食器を構成させることができ、食器の重量の増大や特別な食器を形成する必要がないとともに、底部に貼り付けることもできることから、外観が損なわれることも防止できる。
【００４０】
また、表示パネル２２０の表示面が上方に臨む状態にテーブル脚４００にて支持したテーブル型構造としている。このため、飲食の際のテーブルとして利用できるとともに、上部に飲食物が盛り付けられた食器が直接載置されるので、表示面と飲食物との距離が短く、飲食物に対応した適切な表示ができ、食事の際に必ず表示が視界に入るため、食事に対応した良好な表示が容易に得られる。
【００４１】
〔実施形態の変形〕
なお、本発明は、上述した各実施の形態に限定されるものではなく、本発明の目的を達成できる範囲で以下に示される変形をも含むものである。
【００４２】
すなわち、本発明の表示装置として、飲食店に設置されるテーブル型構造の表示装置１００について説明したが、例えば家庭で利用される食卓などにも利用できる。さらには、食卓の近傍に設置、例えばスタンドや壁掛けなどにより設置する形態としてもよい。さらには、画像データを画面表示する表示装置１００に限らず、例えば発光色が異なる発光ダイオードを複数面状に設けた面状パネルを光源とした表示装置や色調変化が可能な光源を発光させる表示装置などでもできる。すなわち、飲食物の内容に応じた色調で光源を変調させればよい。例えば、赤みを帯びた飲食物に対しては、例えば同系色の赤みを帯びた色調に変更したり、冷たい飲食物の場合にはその飲食物の内容である冷たさが表現される青色を帯びた色調に変更したりするなどの制御をすればよい。
【００４３】
また、飲食物の内容に応じた画像データを検出して説明したが、画像データを飲食物の内容に応じた色調に変更して画面表示させたり、画像データが飲食物の内容に応じた色調で画面表示されるように表示パネルを制御したりするなどしてもよい。さらには、照明装置である場合には、画像データを用いず、例えば光源の明度、彩度および色相のうちの少なくともいずれか１つを制御して色調を変更する制御をする構成とすればよい。
【００４４】
そして、飲食物の内容に応じた画像データを検出する構成として、メニューＩＤ番号と、分類データと、色彩データと、タグ情報と、などの項目が１つのレコードとして関連付けられて１つのデータ構造に構築されたメニューデータ、および、画像データの特定情報と、分類データと、色彩データとが関連付けられて１つのデータ構造に構築された画像検索データ、を用いて説明したが、これらメニューデータおよび画像検索データは、いずれのデータ構造とすることができる。また、これらデータに限られるものではない。
【００４５】
また、飲食物の内容を判断する構成として、上述したように、食器の種別に関するタグ情報に基づいて判断したが、この方法に限られない。例えば撮像装置を用いて飲食物を撮像し、あらかじめ撮像しておいた飲食物の画像データとを対比し、飲食物の内容を画像処理により判断するなどしてもよい。さらに、食器の種別を判断する構成として、ＩＣタグ２９０を用いたタグ情報を読み取る構成に限らず、例えば食器に所定の共振周波数を有する共振回路を備え、表示装置１００に共振周波数を測定する測定装置を設けて共振周波数により食器の種別を認識するなどしてもよい。さらには、食器に設けた記憶素子に、飲食物を盛り付けた際にメニューの内容を表すメニューデータを、レコーダを用いて記憶させる構成とするなどしてもよい。
【００４６】
そして、発音手段２３０を設け、画像データに関連付けられた音データを合わせて再生可能な構成としているが、発音手段２３０を設けなくてもよい。また、表示装置１００に発音状態や画像データの切替などを設定するための操作ボタンや操作つまみなどを有した操作手段を設けてもよい。
【００４７】
また、画像データとして、外部から画像データを取得する画像データ取得手段２４０と、画像データを格納する画像データ記憶手段２５０とを設けて説明したが、いずれか一方のみでもよく、照明装置の場合にはこれらの構成を設けなくてもよい。
【００４８】
そして、表示装置１００にて飲食物の内容に対応した画像データを表示させる構成について説明したが、例えば表示装置１００の画像データ記憶手段２５０やメニューデータ記憶手段２６０を一括してパーソナルコンピュータやワークステーションなどのサーバ装置の記憶手段に記憶させて表示装置１００には設けないシステム構成としてもよい。すなわち、表示装置１００で食器の種別を認識することで、その情報に基づいてネットワークを介してサーバ装置のメニューデータを検索して飲食物を認識させ、その飲食物の内容に応じてサーバ装置の画像データを検索して読み取り、表示させる。さらには、表示装置１００で検出したタグ情報をサーバ装置へ送信し、サーバ装置でタグ情報に基づいて飲食物の内容の認識から対応する画像データを検索して、そのタグ情報を送信した端末装置へ画像データを出力して表示させるシステム構成としてもよい。これらシステム構成とすることで、データを一括管理でき、データの保守管理が容易にできるとともに、表示装置１００の構成を簡略化できる。
【００４９】
なお、本発明の演算手段として１台のコンピュータの構成とする他に、ＩＣ（Integrated Circuit）にて構成したり、回路基板として構成したり、複数のコンピュータにて構成するなど、いずれの形態に構築してもよく、プログラムに限らずハードウェアとして構成してもよい。そして、プログラムとして構成することで、上述したように、コンピュータを点灯制御装置である表示制御装置２８０として構成させることもできるので、本発明の利用の拡大が容易に図れる。さらに、記録媒体にプログラムを記録させる構成とすることで、プログラムの取扱が容易にでき、利用の拡大が容易に図れる。
【００５０】
その他、本発明の実施の際の具体的な構造および手順は、本発明の目的を達成できる範囲で他の構造などに適宜変更できる。
【００５１】
〔実施の形態の効果〕
上述したように、飲食物認識手段２８５にて認識した飲食物の内容に応じて、表示制御手段２８３により表示パネル２２０で画面表示させる画像データの色調が変化する状態に制御している。このため、飲食物の内容に対応した色調で画像データが画面表示され、例えば飲食物の種類などの内容に応じた画面表示や飲食物の色彩が映える画面表示となり、好適な飲食雰囲気が得られ、良好な食事環境が得られる。
【００５２】
また、飲食物認識手段２８５にて認識した飲食物の内容に応じて、色調制御手段により異なる色調で点灯可能な光源の色調を制御する。このため、飲食物の内容に対応した色調で光源が点灯するので、例えば飲食物の種類などの内容に応じた色調、あるいは飲食物の色彩が映え、好適な飲食雰囲気が得られ、良好な食事環境が得られる。
【図面の簡単な説明】
【００５３】
【図１】本発明における一実施の形態に係る表示装置を示す斜視図である。
【図２】前記一実施の形態における表示装置の内部構成を示すブロック図である。
【符号の説明】
【００５４】
１００…表示装置
２２０…光源としての表示手段である表示パネル
２８０…演算手段としての表示制御装置
２８１…食器種別認識手段
２８３…色調制御手段としての表示制御手段
２８５…飲食物認識手段
【図１】
2005261843.tif 000003
【図２】
2005261843.tif 000004